(57)【特許請求の範囲】
【請求項１】
支持地盤、基礎および道路付帯連続構造物等の道路付帯設備を構成する各種部位の三次元データである設計データを、設計図に基づいて処理装置で作成するデータ作成工程と、
掘削前の施工予定地盤に通りラインを引き、移動局を前記通りラインに載せてトータルステーションで前記通りラインの表面位置を実測するとともに、前記設計データに基づいて前記処理装置で前記通りラインの左右の掘削幅および掘削深さの掘削データを算出して表示する掘削データ算出表示工程と、
前記各種部位を前記設計データに基づいて施工する施工工程と、
移動局を前記各種部位に載せてトータルステーションで前記各種部位の表面位置データを実測するとともに、前記処理装置で前記表面位置データと前記設計データとを比較して施工誤差を算出する誤差算出工程と、
前記施工誤差に基づいて前記各種部位の調整施工を行う調整工程と、を備えており、
前記施工工程は、掘削データに基づいて地盤を重機で掘削する掘削工程を含む
ことを特徴とする道路付帯設備の施工方法。
【請求項２】
支持地盤、基礎および道路付帯連続構造物の三次元データである設計データを、設計図に基づいて処理装置で作成するデータ作成工程と、
掘削前の施工予定地盤に通りラインを引き、移動局を前記通りラインに載せてトータルステーションで前記通りラインの表面位置を実測するとともに、前記設計データに基づいて前記処理装置で前記通りラインの左右の掘削幅および掘削深さの掘削データを算出して表示する掘削データ算出表示工程と、
掘削データに基づいて地盤を重機で掘削する掘削工程と、
移動局を前記支持地盤となる掘削面に載せて前記トータルステーションで前記掘削面の表面位置データを実測するとともに、前記処理装置で掘削面表面位置データと前記設計データとを比較して掘削面施工誤差を算出する掘削面誤差算出工程と、
前記掘削面施工誤差に基づいて前記掘削面の調整掘削を行う掘削面調整工程と、
前記掘削面に前記基礎を形成する基礎構築工程と、
移動局を基礎表面に載せて前記トータルステーションで前記基礎の表面位置データを実測するとともに、前記処理装置で基礎表面位置データと前記設計データとを比較して基礎施工誤差を算出する基礎誤差算出工程と、
前記基礎施工誤差に基づいて前記基礎の調整施工を行う基礎調整工程と、
前記基礎上に前記道路付帯連続構造物を設置する構造物設置工程と、
移動局を前記道路付帯連続構造物に載せて前記トータルステーションで前記道路付帯連続構造物の表面位置データを実測するとともに、前記処理装置で構造物表面位置データと前記設計データとを比較して構造物施工誤差を算出する構造物誤差算出工程と、
前記処理装置で算出した前記構造物施工誤差に基づいて前記道路付帯連続構造物の設置位置調整を行う構造物調整工程と、を備えた
ことを特徴とする道路付帯設備の施工方法。
【請求項３】
前記掘削データ算出表示工程では、前記通りラインの左右の掘削幅および掘削深さの前記掘削データを前記施工予定地盤の前記通りラインの近傍に表示する
ことを特徴とする請求項１または請求項２に記載の道路付帯設備の施工方法。
【請求項４】
支持地盤、基礎および道路付帯連続構造物の三次元データである設計データを、設計図に基づいて処理装置で作成するデータ作成工程と、
地盤を重機で掘削する掘削工程と、
移動局を前記支持地盤となる掘削面に載せてトータルステーションで前記掘削面の表面位置データを実測するとともに、前記処理装置で掘削面表面位置データと前記設計データとを比較して掘削面施工誤差を算出する掘削面誤差算出工程と、
前記掘削面施工誤差に基づいて前記掘削面の調整掘削を行う掘削面調整工程と、
前記掘削面に前記基礎を形成する基礎構築工程と、
移動局を基礎表面に載せて前記トータルステーションで前記基礎の表面位置データを実測するとともに、前記処理装置で基礎表面位置データと前記設計データとを比較して基礎施工誤差を算出する基礎誤差算出工程と、
前記基礎施工誤差に基づいて前記基礎の調整施工を行う基礎調整工程と、
前記基礎上に前記道路付帯連続構造物を設置する構造物設置工程と、
移動局を前記道路付帯連続構造物に載せて前記トータルステーションで前記道路付帯連続構造物の表面位置データを実測するとともに、前記処理装置で構造物表面位置データと前記設計データとを比較して構造物施工誤差を算出する構造物誤差算出工程と、
前記処理装置で算出した前記構造物施工誤差に基づいて前記道路付帯連続構造物の設置位置調整を行う構造物調整工程と、を備えており、
前記構造物調整工程では、前記道路付帯連続構造物の設置位置調整を行う作業員が、当該作業員の向きに合わせて切替ボタンを押して前記処理装置に前記道路付帯連続構造物の移動方向を表示させ、前記作業員は表示された前記移動方向に基づいて前記道路付帯連続構造物の設置位置調整を行う
ことを特徴とする道路付帯設備の施工方法。
【請求項５】
請求項２に記載の道路付帯設備の施工方法の前記構造物調整工程における前記処理装置のコンピュータに、
前記道路付帯連続構造物の設置位置調整を行う作業員の向きに合わせて押される切替ボタンの切替えに応じて前記道路付帯連続構造物の移動方向を表示させる移動方向表示機能
を実現させるための移動方向指示用プログラム。
【発明の詳細な説明】
【技術分野】
【０００１】
本発明は、Ｕ字溝や側溝などの既製の道路付帯連続構造物を据え付ける道路付帯設備の施工方法および移動方向指示用プログラムに関する。
【背景技術】
【０００２】
Ｕ字溝や側溝などの既製の道路付帯連続構造物を据え付けるに際しては、その据付場所の目安として丁張を設置し、丁張の水糸を目標にして構造物を設置する（例えば特許文献１参照）。
【０００３】
丁張は、一般に以下の手順に沿って設置される。まず、事前に丁張設置位置の座標計算を行い、算出された座標に基づいて、トランシットで測量し木杭を打ち込み、木杭をレベルで測量した後、貫板及び水糸を設置する。その後、道路付帯連続構造物を設置するには、前記のようにして設置された丁張を基準に、床掘、基礎砕石、ベースコンクリート施工、敷きモルタル施工、構造物設置を順次行う。
【先行技術文献】
【特許文献】
【０００４】
【特許文献１】特開２００６−１６８３４号公報
【発明の概要】
【発明が解決しようとする課題】
【０００５】
以上のように丁張を設置して道路付帯連続構造物を据え付けると、丁張の施工誤差と構造物の施工誤差が合わさってしまい構造物の施工誤差が増大してしまう問題があった。また、丁張を設置するのに多くの時間と手間を要する上に、使用後に建築廃材が多量に発生してしまう。特に曲線部では丁張の間隔を小さくしなければならず、多くの部材を必要としていた。さらに、丁張は施工位置の近くに設置されるために、重機作業の邪魔になるとともに、万一重機が接触してしまうと再度測量し直さなければならなかった。
【０００６】
そこで、本発明は、これらの問題に鑑みて創案されたものであり、丁張を用いることなく、道路付帯連続構造物を高い精度で据え付けることができる道路付帯設備の施工方法および移動方向指示用プログラムを提供することを課題とする。
【課題を解決するための手段】
【０００７】
前記課題を解決するための請求項１に係る発明は、支持地盤、基礎および道路付帯連続構造物等の道路付帯設備を構成する各種部位の三次元データである設計データを、設計図に基づいて処理装置で作成するデータ作成工程と、掘削前の施工予定地盤に通りラインを引き、移動局を前記通りラインに載せてトータルステーションで前記通りラインの表面位置を実測するとともに、前記設計データに基づいて前記処理装置で前記通りラインの左右の掘削幅および掘削深さの掘削データを算出して表示する掘削データ算出表示工程と、前記各種部位を前記設計データに基づいて施工する施工工程と、移動局を前記各種部位に載せてトータルステーションで前記各種部位の表面位置データを実測するとともに、前記処理装置で前記表面位置データと前記設計データとを比較して施工誤差を算出する誤差算出工程と、前記施工誤差に基づいて前記各種部位の調整施工を行う調整工程と、を備えており、前記施工工程は、掘削データに基づいて地盤を重機で掘削する掘削工程を含むことを特徴とする道路付帯設備の施工方法である。
【０００８】
このような施工方法によれば、各種部位の表面位置を移動局とトータルステーションで実測して、設計データとの施工誤差を算出し、その施工誤差に基づいて調整施工を行っているので、丁張を設けることなく、道路付帯連続構造物を高い精度で据え付けることができる。さらに、各種部位の調整施工を行った後に次工程の部位の施工工程に進むようにすれば、施工誤差が積み上がることはなく、各種部位の位置精度をより一層高めることができる。
【０００９】
請求項２に係る発明は、支持地盤、基礎および道路付帯連続構造物の三次元データである設計データを、設計図に基づいて処理装置で作成するデータ作成工程と、掘削前の施工予定地盤に通りラインを引き、移動局を前記通りラインに載せてトータルステーションで前記通りラインの表面位置を実測するとともに、前記設計データに基づいて前記処理装置で前記通りラインの左右の掘削幅および掘削深さの掘削データを算出して表示する掘削データ算出表示工程と、掘削データに基づいて地盤を重機で掘削する掘削工程と、移動局を前記支持地盤となる掘削面に載せて前記トータルステーションで前記掘削面の表面位置データを実測するとともに、前記処理装置で掘削面表面位置データと前記設計データとを比較して掘削面施工誤差を算出する掘削面誤差算出工程と、前記掘削面施工誤差に基づいて前記掘削面の調整掘削を行う掘削面調整工程と、前記掘削面に前記基礎を形成する基礎構築工程と、移動局を基礎表面に載せて前記トータルステーションで前記基礎の表面位置データを実測するとともに、前記処理装置で基礎表面位置データと前記設計データとを比較して基礎施工誤差を算出する基礎誤差算出工程と、前記基礎施工誤差に基づいて前記基礎の調整施工を行う基礎調整工程と、前記基礎上に前記道路付帯連続構造物を設置する構造物設置工程と、移動局を前記道路付帯連続構造物に載せて前記トータルステーションで前記道路付帯連続構造物の表面位置データを実測するとともに、前記処理装置で構造物表面位置データと前記設計データとを比較して構造物施工誤差を算出する構造物誤差算出工程と、前記処理装置で算出した前記構造物施工誤差に基づいて前記道路付帯連続構造物の設置位置調整を行う構造物調整工程と、を備えたことを特徴とする道路付帯設備の施工方法である。
【００１０】
このような施工方法によれば、丁張を設けることなく、道路付帯連続構造物を高い精度で据え付けることができる。また、支持地盤、基礎および道路付帯連続構造物のそれぞれを高い位置精度で施工できるので、施工誤差が積み上がることはなく、各種部位の位置精度をより一層高めることができる。
【００１１】
本発明に係る道路付帯設備の施工方法において、前記掘削データ算出表示工程では、前記通りラインの左右の掘削幅および掘削深さの前記掘削データを前記施工予定地盤の前記通りラインの近傍に表示することが好ましい。このような施工方法によれば、掘削工程において、作業員が作業し易くなるとともに、高い位置精度を確保し易くなる。
【００１２】
請求項４に係る発明は、支持地盤、基礎および道路付帯連続構造物の三次元データである設計データを、設計図に基づいて処理装置で作成するデータ作成工程と、地盤を重機で掘削する掘削工程と、移動局を前記支持地盤となる掘削面に載せてトータルステーションで前記掘削面の表面位置データを実測するとともに、前記処理装置で掘削面表面位置データと前記設計データとを比較して掘削面施工誤差を算出する掘削面誤差算出工程と、前記掘削面施工誤差に基づいて前記掘削面の調整掘削を行う掘削面調整工程と、前記掘削面に前記基礎を形成する基礎構築工程と、移動局を基礎表面に載せて前記トータルステーションで前記基礎の表面位置データを実測するとともに、前記処理装置で基礎表面位置データと前記設計データとを比較して基礎施工誤差を算出する基礎誤差算出工程と、前記基礎施工誤差に基づいて前記基礎の調整施工を行う基礎調整工程と、前記基礎上に前記道路付帯連続構造物を設置する構造物設置工程と、移動局を前記道路付帯連続構造物に載せて前記トータルステーションで前記道路付帯連続構造物の表面位置データを実測するとともに、前記処理装置で構造物表面位置データと前記設計データとを比較して構造物施工誤差を算出する構造物誤差算出工程と、前記処理装置で算出した前記構造物施工誤差に基づいて前記道路付帯連続構造物の設置位置調整を行う構造物調整工程と、を備えており、前記構造物調整工程では、前記道路付帯連続構造物の設置位置調整を行う作業員が、当該作業員の向きに合わせて切替ボタンを押して前記処理装置に前記道路付帯連続構造物の移動方向を表示させ、前記作業員は表示された前記移動方向に基づいて前記道路付帯連続構造物の設置位置調整を行うことを特徴とする道路付帯設備の施工方法である。
【００１３】
請求項５に係る発明は、請求項２乃至請求項４のいずれか一項に記載の道路付帯設備の施工方法の前記構造物調整工程における前記処理装置のコンピュータに、前記道路付帯連続構造物の設置位置調整を行う作業員の向きに合わせて押される切替ボタンの切替えに応じて前記道路付帯連続構造物の移動方向を表示させる移動方向表示機能を実現させるための移動方向指示用プログラムである。
【００１４】
このような移動方向指示プログラムによれば、作業員が自らの向きに応じて、移動方向を選択的に表示させることがでる。これによれば、道路付帯連続構造物のズレ位置そのものではなく、作業員の向きに応じて補正すべき移動方向を表示することができるので、作業員が移動方向を間違えることなく位置調整作業を行うことができる。
【発明の効果】
【００１５】
本発明によれば、丁張を用いることなく、道路付帯連続構造物を高い精度で据え付けることができる。
【図面の簡単な説明】
【００１６】
【図１】本実施形態に係る道路付帯設備の施工方法の掘削データ算出工程を説明するための平面図である。
【図２】道路付帯連続構造物の据付状態を示した断面図である。
【図３】本実施形態に係る道路付帯設備の施工方法の掘削工程と掘削面誤差算出工程を説明するための斜視図である。
【図４】本実施形態に係る道路付帯設備の施工方法の基礎構築工程と基礎誤差算出工程を説明するための斜視図である。
【図５】本実施形態に係る道路付帯設備の施工方法の構造物設置工程と構造物誤差算出工程を説明するための斜視図である。
【図６】道路付帯連続構造物に取り付けられたプリズム付きブラケットを示した側面図である。
【発明を実施するための形態】
【００１７】
本発明の実施形態に係る道路付帯設備の施工方法について、添付図面を参照しつつ詳細に説明する。本実施形態では、道路付帯連続構造物がプレキャストコンクリート製のＵ字溝である場合を例に挙げて説明する。
【００１８】
図２に示すように、Ｕ字溝１は、支持地盤（路床）２上に形成された基礎３上に設置されている。基礎３は、支持地盤２上に敷設された砕石層３ａと、砕石層３ａ上に形成されたベースコンクリート層３ｂと、敷きモルタル層３ｃとを備えている。
【００１９】
道路付帯設備の施工方法は、データ作成工程と施工工程と誤差算出工程と調整工程とを備えている。詳しくは、本実施形態に係る道路付帯設備の施工方法は、データ作成工程と掘削データ算出工程と掘削工程と掘削面誤差算出工程と掘削面調整工程と基礎構築工程と基礎誤差算出工程と基礎調整工程と構造物設置工程と構造物誤差算出工程と構造物調整工程とを備えている。なお、本実施形態に係る道路付帯設備の施工方法では、トータルステーションとプリズムと処理装置（携帯型タブレット）を用いて、各種部位の位置決めや位置確認を行う。
【００２０】
施工工程は、支持地盤２、基礎３およびＵ字溝（道路付帯連続構造物）１等の道路付帯設備を構成する各種部位を設計データに基づいて施工する工程である。本実施形態では、掘削工程と基礎構築工程と構造物設置工程とが、施工工程に相当する。
【００２１】
誤差算出工程は、移動局を各種部位に載せてトータルステーションで各種部位の表面位置データを実測するとともに、処理装置で表面位置データと設計データとを比較して施工誤差を算出する工程である。本実施形態では、掘削面誤差算出工程と基礎誤差算出工程と構造物誤差算出工程とが、誤差算出工程に相当する。
【００２２】
調整工程は、施工誤差に基づいて各種部位の調整施工を行う工程である。本実施形態では、掘削面調整工程と基礎調整工程と構造物調整工程とが、調整工程に相当する。
【００２３】
以下、各工程を施工順序に沿って説明する。
データ作成工程は、設計図書から支持地盤２、基礎３およびＵ字溝１の寸法や道路線形、縦断勾配、断面、変化点座標等の数値データを抜き出して処理装置（図示せず）に入力し、処理装置にて各種部位の水平位置および高さ位置などの三次元座標データを算出する。処理装置は、コンピュータと入力装置と表示装置とを備えた携帯型タブレットからなる。コンピュータのメモリには、基礎３およびＵ字溝１の三次元座標データを算出する計算プログラムが入力され記憶されている。計算プログラムは、コンピュータに、入力装置で入力された設計図の数値データ等を基に各種部位の三次元座標データを算出する算出機能、算出された三次元座標データを表示装置に出力する出力機能、を実現させる。算出された三次元座標データは、表示装置に表示される。作業中の作業員は、携帯型タブレットを携帯しており、施工位置において各種データを表示装置で確認できるようになっている。本実施形態では、計算プログラムは、コンピュータに、施工予定地盤５に掘削される施工用溝の掘削位置や掘削深さ等の三次元座標データを算出する機能も実現させる。この算出機能によって、施工用溝の三次元座標データも算出しておく。
【００２４】
掘削データ算出工程は、図１に示すように、掘削前の施工予定地盤５に通りライン６を引き、移動局１０（図３参照）を通りライン６に載せて、トータルステーション２０でその表面位置を実測するとともに、設計データに基づいて処理装置で通りラインの左右の掘削幅および掘削深さの掘削データを算出して表示する工程である。通りライン６は、掘削位置に沿って大まかな概略位置で作業員が引く。そして、通りライン６に沿って任意間隔で移動局１０を載せて、通りライン６上の各測定位置（移動局を載せた位置）の水平位置および高さ位置を実測する。移動局１０は棒状部材１１の上部にプリズム１２を設置して構成されている。移動局１０は、トータルステーション２０の設置位置などの固定局と比較されて、三次元座標が測定される。トータルステーション２０は、Ｕ字溝１の配置曲線の外側に設置するのが好ましい。このように配置すれば、トータルステーション２０によるプリズム１２の視準が遮られ難くなる。
【００２５】
処理装置では、通りライン６上の測定位置の水平位置および高さ位置と、施工予定地盤５に掘削する掘削位置や掘削深さ等の三次元座標データとを比較して、通りライン６から見た左右の幅寸幅寸法および掘削深さ寸法が算出される。算出された左右幅寸法Ｗ１，Ｗ２と掘削深さ寸法Ｄは、表示装置に表示するとともに、施工予定地盤５の通りライン６の近傍にスプレー等でマーキング表示しておく。
【００２６】
掘削工程は、図３に示すように、バックホウ７などの重機で施工予定地盤５の掘削を行う工程である。掘削工程では、掘削データ（通りライン６上の各測定位置からの掘削左右幅寸法と掘削深さ寸法）に基づいて掘削を行う。作業員は、施工予定地盤５に表示された掘削データ、あるいは表示装置に表示された掘削データを見ながら掘削を行う。掘削を行った後に、転圧装置８を用いて転圧を行う。これによって、作業者は掘削の目安を得ることができ、丁張がなくとも重機による掘削作業を容易に行うことができる。
【００２７】
掘削面誤差算出工程は、移動局１０を掘削面５ａに載せてトータルステーション２０で掘削面５ａの表面位置データを実測するとともに、処理装置で掘削面表面位置データと設計データとを比較して掘削面施工誤差を算出する工程である。掘削面誤差算出工程では、作業員が、掘削面５ａに沿って任意間隔で移動局１０を載せる。トータルステーション２０では、掘削面５ａ上の各測定位置（移動局を載せた位置）の水平位置および高さ位置が実測される。トータルステーション２０は、自動追尾機能を備えており、自動追尾によって、各測定位置における移動局１０の測定を自動で行う。トータルステーション２０で測定された掘削面５ａの表面位置データは、処理装置に送信される。
【００２８】
処理装置では、掘削面５ａの表面位置データ（現況値）と支持地盤２の設計データ（設計値）とを比較して、掘削面施工誤差が算出される。詳しくは、設計データから測定点における高さ位置の設計値を算出するとともに、この高さ位置（設計値）と、高さ位置の現況値とを比較して掘削面施工誤差を算出する。算出された掘削面施工誤差は、表示装置に表示する。
【００２９】
掘削面調整工程は、掘削面施工誤差に基づいて掘削面５ａの調整掘削を行う工程である。掘削面調整工程では、作業員がレーキ等を用いて人力作業で高さ位置の調整を行う。掘削面調整工程が完了した後に、転圧装置８を用いて掘削面５ａの転圧を行う。なお、掘削面調整工程が完了した後、再度、掘削面誤差算出工程を行って、誤差が解消されたことを確認する。
【００３０】
基礎構築工程は、図４に示すように、掘削面５ａに基礎３を形成する工程である。本実施形態の基礎構築工程は、砕石層３ａを構築する砕石層構築工程と、ベースコンクリート層３ｂを構築するベースコンクリート層構築工程と、敷きモルタル層３ｃを構築する敷きモルタル層敷設工程とを備える。基礎誤差算出工程は、砕石層誤差算出工程とベースコンクリート層誤差算出工程とを備える。基礎調整工程は、砕石層調整工程とベースコンクリート層調整工程とを備える。本実施形態では、砕石層構築工程、砕石層誤差算出工程、砕石層調整工程、ベースコンクリート層構築工程、ベースコンクリート層誤差算出工程、ベースコンクリート層調整工程、敷きモルタル層敷設工程の順に施工を行う。なお、基礎構築工程の各工程は、基礎３の形状に応じて適宜変更される。
【００３１】
砕石層構築工程では、バックホウ７を用いて、砕石を所定厚さに敷設して砕石層３ａを構築した後、敷設された砕石層３ａを転圧装置８で転圧する。その後、砕石層誤差算出工程（基礎誤差算出工程）と砕石層調整工程（基礎調整工程）とを順次実施する。
【００３２】
砕石層誤差算出工程では、砕石層３ａの表面を基礎表面のひとつとして砕石層施工誤差（基礎施工誤差）を算出する。砕石層誤差算出工程は、移動局１０を砕石層３ａに載せてトータルステーション２０で砕石層３ａの表面位置データを実測するとともに、処理装置で砕石層表面位置データと設計データとを比較して砕石層施工誤差を算出する工程である。砕石層誤差算出工程では、作業員が、砕石層３ａに沿って所定間隔で移動局１０を載せる。トータルステーション２０では、砕石層３ａ上の各測定位置（移動局を載せた位置）の水平位置および高さ位置が実測される。トータルステーション２０は、自動追尾によって、各測定位置における移動局１０の測定を自動で行う。トータルステーション２０で測定された砕石層３ａの表面位置データは、処理装置に送信される。
【００３３】
処理装置では、砕石層３ａの表面位置データ（現況値）と砕石層３ａの設計データ（設計値）とを比較して、砕石層施工誤差が算出される。詳しくは、設計データから測定点における高さ位置の設計値を算出するとともに、この高さ位置（設計値）と、高さ位置の現況値とを比較して砕石層施工誤差を算出する。算出された砕石層施工誤差は、表示装置に表示する。その後、砕石層調整工程（基礎調整工程）を実施する。
【００３４】
砕石層調整工程は、砕石層施工誤差（基礎施工誤差）に基づいて砕石層３ａの調整施工を行う工程である。砕石層調整工程では、作業員がレーキ等を用いて人力作業で地ならしを行う。砕石層調整工程が完了した後に、転圧装置８を用いて砕石層３ａの転圧を行う。砕石層調整工程が完了した後、再度、砕石層誤差算出工程を行って、誤差が解消されたことを確認する。
【００３５】
砕石層調整工程の後には、ベースコンクリート層構築工程を実施する。ベースコンクリート層構築工程では、砕石層３ａの上に型枠（図示せず）を設置してコンクリートを打設することで、ベースコンクリート層３ｂを構築する。型枠は、上端がベースコンクリート層３ｂの上端と同じ高さになるように形成する。
【００３６】
本実施形態のベースコンクリート層誤差算出工程では、型枠の上端面を基礎表面のひとつとしてベースコンクリート層施工誤差（基礎施工誤差）を算出する。つまり、コンクリート打設前に、ベースコンクリート層誤差算出工程とベースコンクリート層調整工程を実施する。ベースコンクリート層誤差算出工程は、移動局１０を型枠に載せてトータルステーション２０で型枠の表面位置データを実測するとともに、処理装置でベースコンクリート層表面位置データと設計データとを比較してベースコンクリート層施工誤差を算出する工程である。ベースコンクリート層誤差算出工程では、作業員が、型枠の上端面に沿って所定間隔で移動局１０を載せる。トータルステーション２０では、ベースコンクリート層上の各測定位置（移動局を載せた位置）の水平位置および高さ位置が実測される。トータルステーション２０は、自動追尾によって、各測定位置における移動局１０の測定を自動で行う。トータルステーション２０で測定されたベースコンクリート層の表面位置データは、処理装置に送信される。
【００３７】
処理装置では、型枠の表面位置データ（現況値）とベースコンクリート層３ｂの設計データ（設計値）とを比較して、ベースコンクリート層施工誤差が算出される。詳しくは、設計データから測定点における高さ位置の設計値を算出するとともに、この高さ位置（設計値）と、高さ位置の現況値とを比較してベースコンクリート層施工誤差を算出する。算出されたベースコンクリート層施工誤差は、表示装置に表示する。その後、ベースコンクリート層調整工程（基礎調整工程）を実施する。
【００３８】
ベースコンクリート層調整工程は、ベースコンクリート層施工誤差（基礎施工誤差）に基づいて型枠の調整施工を行う工程である。ベースコンクリート層調整工程では、作業員が型枠の設置高さを調整する。ベースコンクリート層調整工程が完了した後に、再度、ベースコンクリート層誤差算出工程を行って、誤差が解消されたことを確認する。その後、型枠内にコンクリートを打設して、ベースコンクリート層構築工程が完了する。
【００３９】
その後、敷きモルタル層敷設工程を順次実施する。敷きモルタル層３ｃは、Ｕ字溝１が設置される部分であって、Ｕ字溝１を砕石層３ａに固定する役目と高さ調整を行う役目を果たす。敷きモルタル層構築工程では、砕石層３ａ上にモルタルを打設して所定厚さの敷きモルタル層３ｃを敷設する。敷きモルタル層３ｃの上端面は、Ｕ字溝１の底面高さの設計値よりも若干高くしておく。
【００４０】
構造物設置工程は、図５に示すように、基礎３上にＵ字溝１（道路付帯連続構造物）を設置する工程である。構造物設置工程では、例えばバックホウ７のアーム先端部にワイヤ９ａを介して吊り下げられた公知の吊ブラケット９ｂでＵ字溝１を吊り下げて、基礎３上に載置する。構造物設置工程は、敷きモルタル層３ｃが硬化する前に実施される。Ｕ字溝１は、その重量によって、敷きモルタル層３ｃの上端面より若干沈み込む。
【００４１】
構造物誤差算出工程は、移動局１０ａをＵ字溝１に載せてトータルステーション２０でＵ字溝１の表面位置データを実測するとともに、処理装置で構造物表面位置データと設計データとを比較して構造物施工誤差を算出する工程である。構造物誤差算出工程では、道路付帯連続構造物（本実施形態では、Ｕ字溝１）の形状に応じたプリズム付きブラケット１３を移動局１０ａとしてＵ字溝１に取り付けて実測を行う。
【００４２】
プリズム付きブラケット１３は、Ｕ字溝１に設置される専用のブラケットであって、プリズム１２が固定されたブラケット本体部１３ａと、ブラケット本体部１３ａの一端部に設けられた係止部１３ｂと、ブラケット本体部１３ａの上部に取り付けられた水平器１４とを備えている。ブラケット本体部１３ａは、Ｕ字溝１の上部の開口両端部に架け渡される。係止部１３ｂの下端部は、下方に延出していて、Ｕ字溝１の幅方向端部に係止される。このようなプリズム付きブラケット１３を用いることで、Ｕ字溝１の幅方向端部とプリズム１２の位置関係が一定となるので、プリズム１２の位置を計測することで、Ｕ字溝１の位置が正確に算出される。つまり、Ｕ字溝１の水平位置および高さ位置の三次元座標を把握できる。さらに、プリズム付きブラケット１３は、Ｕ字溝１に載置されて固定できるので、作業員が押えておく必要はない。したがって、作業員は、プリズム付きブラケット１３をＵ字溝１に設置した後に、他の作業を行うことができる。
【００４３】
Ｕ字溝１の表面位置データを実測するに際しては、最初に設置されるＵ字溝１では、長手方向両端部の位置を実測し、これに繋がる二つめ以降のＵ字溝１では、設置済みのＵ字溝１から離れた側の端部の位置を実測する。すなわち、最初に設置されるＵ字溝１では、長手方向両端部にプリズム付きブラケット１３を設置してプリズム１２の位置を実測する。二つめ以降のＵ字溝１では、設置済みのＵ字溝１から離れた側の端部にプリズム付きブラケット１３を設置してプリズム１２の位置を実測する。このようにすれば、各Ｕ字溝１の勾配角度を含んだ表面位置データを実測できる。
【００４４】
トータルステーション２０で測定されたＵ字溝１の表面位置データは、処理装置に送信される。処理装置では、Ｕ字溝１の表面位置データ（現況値）とＵ字溝１の設計データ（設計値）とを比較して、Ｕ字溝施工誤差（構造物施工誤差）が算出される。詳しくは、設計データからＵ字溝１の位置（設計値）に対するプリズム１２の三次元位置（設計値）を算出するとともに、この三次元位置（設計値）と、プリズム１２の三次元位置の現況値とを比較することで、Ｕ字溝施工誤差（水平位置および高さ位置の誤差）を算出する。Ｕ字溝施工誤差は、正規位置からのズレ方向とズレ距離が算出される。表示装置には、修正すべき移動方向と移動距離が表示される。
【００４５】
以下に、前記手順を行うためのプログラムを説明する。処理装置のコンピュータのメモリには、移動方向指示用プログラムが入力され記憶されている。移動方向指示用プログラムは、Ｕ字溝施工誤差を算出するとともに、Ｕ字溝施工誤差から導き出された修正すべき移動方向と移動距離を表示装置に表示するためのプログラムである。移動方向指示用プログラムは、処理装置のコンピュータに、Ｕ字溝１（道路付帯連続構造物）の設置位置調整を行う作業員の向きに応じて道路付帯連続構造物の移動方向を選択的に表示させる移動方向表示機能を実現させる。
【００４６】
Ｕ字溝１（道路付帯連続構造物）の設置位置調整を行う作業員は、例えば、バックホウ７の運転者（図示せず）と、Ｕ字溝１の長手方向両端部近傍にそれぞれ位置する２名の作業者との３名がいる。なお、図５において２名の作業者は、外部に位置するが、Ｕ字溝１やプリズム付きブラケット１３の構成を図示するために、図示を省略している。入力される作業員の向きは、携帯型タブレットを保持する者の向きである。本実施形態では、図５中、Ｕ字溝１の端部近傍にいるいずれかの作業者（図示せず）が携帯型タブレットを保持している。作業員の向きは、Ｕ字溝１の設置手順において設置作業が開始される起点側と設置作業が完了する終点側を基準にしている。つまり、作業員（携帯型タブレットを保持する者）が設置するＵ字溝１よりも起点側に位置する場合は終点側に向いていて、作業員（携帯型タブレットを保持する者）が設置するＵ字溝１よりも終点側に位置する場合は起点側に向いていることとなる。
【００４７】
処理装置では、トータルステーションからの位置データ（Ｕ字溝１の施工位置）と設計図の三次元座標データとを比較して、Ｕ字溝施工誤差（水平位置および高さ位置の誤差）が算出される。この誤差から修正すべき移動方向と移動距離を導き出して、表示装置に表示する。このとき、表示装置においては、表示画像の表示角度と作業員の向きが一致していれば、表示画像の移動方向と実際の移動方向は同じであるが、表示画像の表示角度と作業員の向きが逆である場合は、表示画像の移動方向と実際の移動方向は逆になる。表示画像の表示角度と作業員の向きが逆である場合は、作業員が処理装置に設けられた切替ボタン（図示せず）を押すことで、移動方向を逆向きに表示させることができる。具体的には、移動方向を文字で表示している場合には、たとえば「左側に○○ｍｍ移動」との表示を「右側に○○ｍｍ移動」に変喚させ、移動方向を矢印で図示している場合は矢印を反転表示させる。つまり、表示装置は、Ｕ字溝１のズレ位置そのものではなく、携帯型タブレットを目視する作業員を基準に左右方向を表示することができるので、作業員は表示された方向にＵ字溝１を移動させればよい。したがって、作業員は、左右方向を間違うことなく正確に補正作業を行うことができる。なお、左右方向の他に前後方向にもズレている場合、移動方向は、左右方向に合わせて前後方向も表示される。前後方向についても、作業員の向きに応じて修正すべき移動方向が表示される。なお、作業員は、表示画像の表示角度と作業員の向きが逆である場合であっても、切替ボタン（図示せず）を押さずに移動方向をそのままにすることを選択してもよい。
【００４８】
構造物調整工程は、Ｕ字溝施工誤差に基づいてＵ字溝１の設置位置調整を行う工程である。構造物調整工程では、ブラケット本体部１３ａの上部に取り付けられた水平器１４によって、左右の高さ調整も行ってＵ字溝１の水平度を確保する。誤差の修正は、例えばプラスチックハンマ（図示せず）で、Ｕ字溝１の隅部を叩くことで行う。水平方向位置を調整する場合はＵ字溝１の側部をプラスチックハンマで横から叩き、高さ位置を調整する場合はＵ字溝１の上部をプラスチックハンマで上から叩く。
【００４９】
本実施形態に係る道路付帯設備の施工方法によれば、支持地盤２、基礎３およびＵ字溝１のそれぞれの施工段階で、表面位置データ（現況値）を実測するとともに施工誤差を算出して、調整施工を行っているので、各施工段階で施工誤差がなくなっている。したがって、各施工段階で高い位置精度で施工できるので、施工誤差が積み上がることはなく、Ｕ字溝１の位置精度を高めることができる。これによって、後工程で施工される舗装面との整合性を確保することができる。
【００５０】
また、道路付帯設備の施工方法によれば、支持地盤２、基礎３およびＵ字溝１等の各種部位を、設計データに基づいて構築しているので、丁張を設けることなく、Ｕ字溝１（道路付帯連続構造物）を据え付けることができる。したがって、施工に係る手間と時間を低減することができる。
【００５１】
さらに、本実施形態では、掘削前の施工予定地盤５に通りライン６を引き、通りライン６の表面位置を実測するとともに、設計データに基づいて通りライン６の左右の掘削幅および掘削深さの掘削データを算出して表示しているので、掘削施工時における掘削の目安を得ることができる。したがって、丁張がなくとも重機による掘削作業を容易に且つ高い精度で行うことができる。
【００５２】
掘削工程の後の基礎構築工程においては、精度の高い掘削面５ａを基準に基礎３を構築するので、丁張がなくとも基礎の構築作業を容易に且つ高い精度で行うことができる。また、構造物設置工程においては、精度の高い基礎３を基準にＵ字溝１を設置するので、丁張がなくともＵ字溝１の設置作業を容易に且つ高い精度で行うことができる。
【００５３】
以上のように、丁張がなくなったことによって、丁張の設置に掛かる手間と時間を省略できるとともに、バックホウが丁張を回避する行動による危険のリスクおよび廃棄物を低減することができる。また、バックホウ７の移動が丁張で制限されることはない。さらに、曲線部においては、丁張の場合は、木杭の設置ピッチを短くする必要があったが、本実施形態によれば、曲線部においても、既製のＵ字溝１を用いているので、直線部と同等の手間で施工することができる。
【００５４】
各種部位の表面位置データを、トータルステーション２０と移動局１０を用いて実測しているので、容易に且つ精度高く計測することができる。特に、本実施形態では、トータルステーション２０の自動追尾によって、各測定位置における移動局１０の測定を行っているので、トータルステーション２０は最初に設置して作動を開始させれば済む。
【００５５】
以上、本発明を実施するための形態について説明したが、本発明は前記実施の形態に限定する趣旨ではなく、本発明の趣旨を逸脱しない範囲で適宜設計変更が可能である。たとえば、前記実施形態では、算出される三次元座標データは、Ｕ字溝１、支持地盤２および基礎３の位置データであるが、これに限定されるものではない。道路付帯連続構造物の種類や基礎の構造に応じて、算出される位置データは適宜変更される。
【００５６】
また、前記実施形態では、トータルステーション２０の自動追尾機能を利用しているが、これに限定されるものはない。プリズムを自動追尾し、座標を測定できる機能のある測量機器であって、データを処理装置に送れる機能があれば、トータルステーション以外の機器であってもよい。さらに、計測機器が自動追尾機能を有していない場合には、移動局１０が移動する度に、作業員が測量機器を用いて計測作業を行ってもよい。
【００５７】
前記実施形態の掘削データ算出表示工程では、掘削前の施工予定地盤５に通りライン６を引き、移動局１０を通りライン６に載せてその表面位置をトータルステーション２０で実測するとともに、設計データに基づいて処理装置で通りライン６の左右の掘削幅Ｗ１，Ｗ２および掘削深さＤの掘削データを算出して表示するようにしているが、これに限定されるものではない。施工予定地盤に沿って移動局１０を順次置いてトータルステーション２０で表面位置を実測した後に、その測定点の実測値に基づいて通りラインを引くようにしてもよい。通りラインは、測定点を結んで引いてもよいし、掘削される部分の中心線に沿って引いてもよい。通りラインを中心線に沿って引く場合は、測定点の実測値と設計データから掘削幅の中心位置を算出する。
【符号の説明】
【００５８】
１      Ｕ字溝（道路付帯連続構造物）
２      支持地盤
３      基礎
５      地盤
５ａ    掘削面
６      通りライン
７      バックホウ
８      転圧機
１０    移動局
１０ａ  移動局
１２    プリズム
１３    プリズム付きブラケット
２０    トータルステーション
【図１】
0006420734.tif 000002
【図２】
0006420734.tif 000003
【図３】
0006420734.tif 000004
【図４】
0006420734.tif 000005
【図５】
0006420734.tif 000006
【図６】
0006420734.tif 000007